【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
ヤング率が４５００〜６５００Ｎ／ｍｍ2で厚み１００〜２５０μｍのプラスチック支持体のシート状記録材料をドラムの周面に巻回し、前記ドラムを回転させて光源により画像を走査露光し、露光済みの前記シート状記録材料を搬送ローラ対により装置上面に排出する画像記録装置において、
最終の前記搬送ローラ対の下側ローラに、前記シート状記録材料の後端の案内ガイドを兼ねたローラカバーを有することを特徴とする画像記録装置。    
【請求項２】
前記ローラカバーの角度は鉛直方向に対し５〜３０度であることを特徴とする請求項１に記載の画像記録装置。
【請求項３】
前記ローラカバーの先端高さが前記下側ローラの中心よりも低いことを特徴とする請求項１または請求項２に記載の画像記録装置。
【請求項４】
前記ローラカバーの内側から搬送下流方向に向けてエアーを吹き出すエアー吹き出し手段を備えることを特徴とする請求項１乃至請求項３のいずれか１項に記載の画像記録装置。
【請求項５】
前記シート状記録材料の排出位置から積載面までの落差は３０〜１００ｍｍであることを特徴とする請求項１乃至請求項４のいずれか１項に記載の画像記録装置。
【請求項６】
前記シート状記録材料の搬送速度は５０〜２００ｍｍ／ｓｅｃであることを特徴とする請求項１乃至請求項５のいずれか１項に記載の画像記録装置。
【請求項７】
前記シート状記録材料の積載面は導電性部材であることを特徴とする請求項１乃至請求項６のいずれか１項に記載の画像記録装置。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
請求項２に記載の発明は、前記ローラカバーの角度は鉛直方向に対し５〜３０度であることを特徴とする請求項１に記載の画像記録装置である。
【手続補正４】
【補正対象書類名】明細書
【補正対象項目名】０００９
【補正方法】変更
【補正の内容】
【０００９】
請求項３に記載の発明は、前記ローラカバーの先端高さが前記下側ローラの中心よりも低いことを特徴とする請求項１または請求項２に記載の画像記録装置である。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
請求項４に記載の発明は、前記ローラカバーの内側から搬送下流方向に向けてエアーを吹き出すエアー吹き出し手段を備えることを特徴とする請求項１乃至請求項３のいずれか１項に記載の画像記録装置である。
【手続補正７】
【補正対象書類名】明細書
【補正対象項目名】００１２
【補正方法】変更
【補正の内容】
【００１２】
請求項５に記載の発明は、前記シート状記録材料の排出位置から積載面までの落差は３０〜１００ｍｍであることを特徴とする請求項１乃至請求項４のいずれか１項に記載の画像記録装置である。
【手続補正８】
【補正対象書類名】明細書
【補正対象項目名】００１３
【補正方法】変更
【補正の内容】
【００１３】
請求項６に記載の発明は、前記シート状記録材料の搬送速度は５０〜２００ｍｍ／ｓｅｃであることを特徴とする請求項１乃至請求項５のいずれか１項に記載の画像記録装置である。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
請求項７に記載の発明は、前記シート状記録材料の積載面は導電性部材であることを特徴とする請求項１乃至請求項６のいずれか１項に記載の画像記録装置である。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】変更
【補正の内容】
【００３０】
請求項２に記載の発明では、ローラカバーの角度は鉛直方向に対し５〜３０度であることで、シート状記録材料の後端が排出されてもローラカバーによって案内されて下側ローラ近傍に引っ掛かることなく確実に積載面に落下する。
【手続補正２４】
【補正対象書類名】明細書
【補正対象項目名】００３１
【補正方法】変更
【補正の内容】
【００３１】
請求項３に記載の発明では、ローラカバーの先端高さが下側ローラの中心よりも低いことで、シート状記録材料の後端が排出されてもローラカバーによって案内されて下側ローラ近傍に引っ掛かることなく確実に積載面に落下する。
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】変更
【補正の内容】
【００３３】
請求項４に記載の発明では、ローラカバーの内側から搬送下流方向に向けてエアーを吹き出すことで、シート状記録材料の後端が排出されてもエアーによって送られて下側ローラ近傍に引っ掛かることなく確実に積載面に落下する。
【手続補正２７】
【補正対象書類名】明細書
【補正対象項目名】００３４
【補正方法】変更
【補正の内容】
【００３４】
請求項５に記載の発明では、シート状記録材料の排出位置から積載面までの落差は３０〜１００ｍｍであることで、シート状記録材料の積載面を略水平にすることで連続排出においても、排出されるシート状記録材料の先端が積載面のシート状記録材料の後端に引っ掛からずに整然と積載される。
【手続補正２８】
【補正対象書類名】明細書
【補正対象項目名】００３５
【補正方法】変更
【補正の内容】
【００３５】
請求項６に記載の発明では、シート状記録材料の搬送速度は５０〜２００ｍｍ／ｓｅｃであることで、排出されるシート状記録材料の先端が積載面のシート状記録材料の後端に引っ掛からずに整然と勢い良く積載される。
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００３９
【補正方法】変更
【補正の内容】
【００３９】
請求項７に記載の発明では、シート状記録材料の積載面は導電性部材であることで、搬送ローラ対で剥離帯電したシート状記録材料の静電気を除去でき、貼り付きによる排出トラブルを防止できる。
【手続補正３４】
【補正対象書類名】明細書
【補正対象項目名】００４０
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００４２
【補正方法】削除
【補正の内容】
【手続補正３８】
【補正対象書類名】明細書
【補正対象項目名】００４３
【補正方法】削除
【補正の内容】
【手続補正３９】
【補正対象書類名】明細書
【補正対象項目名】００４４
【補正方法】削除
【補正の内容】
【手続補正４０】
【補正対象書類名】明細書
【補正対象項目名】００４５
【補正方法】削除
【補正の内容】
【手続補正４１】
【補正対象書類名】明細書
【補正対象項目名】００４６
【補正方法】削除
【補正の内容】
【手続補正４２】
【補正対象書類名】明細書
【補正対象項目名】００４７
【補正方法】削除
【補正の内容】
【手続補正４３】
【補正対象書類名】明細書
【補正対象項目名】００４８
【補正方法】削除
【補正の内容】
【手続補正４４】
【補正対象書類名】図面
【補正対象項目名】図１
【補正方法】変更
【補正の内容】
【図１】
2005104658.tif 000001